(57)【特許請求の範囲】
【請求項１】
１乃至複数の電線挿入孔を有する複数の接続部が端部に列設されたハウジングと、該ハウジング内に収納されて前記接続部の列設方向と略直交する方向から前記電線挿入孔に挿入された電線が前記接続部により接続される複数の端子板と、該端子板との間で前記電線挿入孔に挿入される電線を弾性挟持する鎖錠ばねを具備した複数の前記接続部と、前記接続部の列設方向並びに前記電線挿入孔の挿入方向と略直交する方向に移動自在であって前記接続部に接続される電線の先端部に押動される押動部、該押動部の移動方向に突出する表示部を具備して前記ハウジング内に収納される複数の表示部材と、前記押動部が押動される向きと反対向きに前記表示部材を付勢する付勢部材と、前記ハウジング前面に開口し前記押動部の移動に応じて前記表示部が進退自在に突出する複数の表示孔とを備え、前記表示部材は、前記押動部に対して前記電線挿入孔への挿入方向における電線挿入孔と反対側の位置に前記表示部が設けられてなり、前記ハウジングは前面に開口する箱形のボディと、少なくとも前記表示部を前方へ露出する露出窓が前面に設けられてボディの開口面を覆うカバーと、前記露出窓を閉塞する小カバーとで構成され、該小カバーに複数の前記表示孔が設けられたことを特徴とする配線装置。
【請求項２】
前記表示部材に対して前記付勢部材による付勢向きに対向配置されて前記表示部材の付勢向きへの移動を規制する規制部が前記端子板に設けられたことを特徴とする請求項１記載の配線装置。
【請求項３】
電線の挿入方向に対する前記表示部材の動きを規制するストッパを備えたことを特徴とする請求項１記載の配線装置。
【請求項４】
前記表示部材の移動をガイドするガイド部が設けられ、該ガイド部及び前記ストッパの前記表示部材との接触面が曲面に形成されたことを特徴とする請求項３記載の配線装置。
【請求項５】
前記電線挿入孔に挿入された電線の導体を視認するための窓が前記ハウジングの前面に設けられたことを特徴とする請求項１記載の配線装置。
【請求項６】
前記ハウジングの前面において前記電線挿入孔に挿入された電線の被覆と対向する部位が透光性を有する材料で形成されたことを特徴とする請求項１記載の配線装置。
【発明の詳細な説明】
【０００１】
【発明の属する技術分野】
本発明は、屋内配線などのために使用される配線装置に関するものである。
【０００２】
【従来の技術】
従来の配線装置としては、それぞれにケーブルが接続される複数の接続部がハウジングの両側面に列設され、個々の接続部がハウジングの内部で一対一又は一対多に接続されてなる、いわゆるジョイントボックスと呼ばれるものがある。このジョイントボックスは、例えば分電盤からの電源ケーブルを接続する電源用の接続部と、電源ラインを内部で複数分岐して出力する送り配線用の複数の接続部とを備えている。なお、これらの接続部は従来周知の速結端子構造となっており、複数の電線挿入孔を備え、これら電線挿入孔がハウジングの側面に一列に形成されている。
【０００３】
上記ジョイントボックスへのケーブルの接続は、ケーブルが具備する各電線の被覆を剥がして電線挿入孔に挿入し、内部に設けられた端子板と鎖錠ばねとで電線を弾性挟持して接続が行われる。また、接続されている電線を外す場合には、ドライバなどの工具をハウジングに設けられた解除孔に差し込み、内部に設けられた解除釦を操作して鎖錠ばねを撓ませることで行うことができる。
【０００４】
ここで、電線挿入孔に対する電線の挿入が不十分であると端子板と電線との接触抵抗が大きくなって発熱量が増大するという不具合が生じてしまう。そのために従来の配線装置においては、電線挿入孔への電線の挿入が充分か否かを確認するための構造が設けられている。
【０００５】
すなわち、図１６に示すように電線３１の挿入が充分である場合にのみ電線３１（導体３２）の先端部に押動されて電線３１の挿入方向と直交する方向（図１６における下方向）に移動する押動部４１と、この押動部４１に対して電線３１の挿入方向及び押動部４１の移動方向の何れにも直交する方向（図１６における右方向）に突出するように一体に形成された基部４２と、基部４２における押動部４１の移動方向に対向する一側面（図１６における上面）より突設された円柱形の表示部４３とを有する表示部材４０を、ハウジングの表面に形成された表示孔から表示部材４０の表示部４３が進退自在に突出するようにハウジング内に配設し、表示部４３が表示孔から突出する向きに表示部材４０を弾性付勢してある。而して、電線３１が接続されていない状態では表示部材４０の表示部４３がハウジングの表示孔から突出しており、電線挿入孔に挿入された電線３１で押動部４１が下方に押動されると表示部材４０が下方に移動するため、表示部４３が表示孔に入り込んでハウジングの外に突出しなくなることで電線３１が充分に挿入されて接続部と確実に接続されていることが確認できるものである。
【０００６】
【発明が解決しようとする課題】
ところが上記従来構造においては、表示部４３が突設されている基部４２が、電線３１に押動される押動部４１に対して電線３１の挿入方向と直交する方向に突出する形状に表示部材４０が形成されているため、表示部材４０の幅寸法（図１６における寸法ｄ’）が大きくなってしまう。そして、電線挿入孔の間隔（ピッチ）が表示部材４０の幅寸法ｄ’によって規定されることから、電線挿入孔の間隔を狭めてハウジングの小型化を図ることが困難であった。
【０００７】
本発明は、上記事情に鑑みて為されたものであり、その目的は、電線挿入孔の間隔を狭めてハウジングの小型化が図れる配線装置を提供することにある。
【０００８】
【課題を解決するための手段】
請求項１の発明は、上記目的を達成するために、１乃至複数の電線挿入孔を有する複数の接続部が端部に列設されたハウジングと、該ハウジング内に収納されて前記接続部の列設方向と略直交する方向から前記電線挿入孔に挿入された電線が前記接続部により接続される複数の端子板と、該端子板との間で前記電線挿入孔に挿入される電線を弾性挟持する鎖錠ばねを具備した複数の前記接続部と、前記接続部の列設方向並びに前記電線挿入孔の挿入方向と略直交する方向に移動自在であって前記接続部に接続される電線の先端部に押動される押動部、該押動部の移動方向に突出する表示部を具備して前記ハウジング内に収納される複数の表示部材と、前記押動部が押動される向きと反対向きに前記表示部材を付勢する付勢部材と、前記ハウジング前面に開口し前記押動部の移動に応じて前記表示部が進退自在に突出する複数の表示孔とを備え、前記表示部材は、前記押動部に対して前記電線挿入孔への挿入方向における電線挿入孔と反対側の位置に前記表示部が設けられてなり、前記ハウジングは前面に開口する箱形のボディと、少なくとも前記表示部を前方へ露出する露出窓が前面に設けられてボディの開口面を覆うカバーと、前記露出窓を閉塞する小カバーとで構成され、該小カバーに複数の前記表示孔が設けられたことを特徴とし、電線の挿入方向及び表示部の移動方向に略直交する方向における表示部材の幅寸法が従来例に比較して短くなるから、電線挿入孔の間隔を狭めることができてハウジングの小型化が図れ、しかも、複数の表示孔がカバーに設けられる場合に比較してハウジングの組立性が向上する。
【０００９】
請求項２の発明は、請求項１の発明において、前記表示部材に対して前記付勢部材による付勢向きに対向配置されて前記表示部材の付勢向きへの移動を規制する規制部が前記端子板に設けられたことを特徴とし、規制部により表示部材の移動を規制することで組立性が向上する。
【００１０】
請求項３の発明は、請求項１の発明において、電線の挿入方向に対する前記表示部材の動きを規制するストッパを備えたことを特徴とし、表示部材を安定して移動させることができる。
【００１１】
請求項４の発明は、請求項３の発明において、前記表示部材の移動をガイドするガイド部が設けられ、該ガイド部及び前記ストッパの前記表示部材との接触面が曲面に形成されたことを特徴とし、ガイド部によりガイドすることで移動時における表示部材のがたつきが防止でき、しかも、ガイド部及びストッパの表示部材との接触面が曲面に形成されているために、表示部材がスムーズに移動可能となる。
【００１３】
請求項５の発明は、請求項１の発明において、前記電線挿入孔に挿入された電線の導体を視認するための窓が前記ハウジングの前面に設けられたことを特徴とし、窓を通して電線の導体が視認可能か否かによって接続部に対する電線の接続状態が確認できる。
【００１４】
請求項６の発明は、請求項１の発明において、前記ハウジングの前面において前記電線挿入孔に挿入された電線の被覆と対向する部位が透光性を有する材料で形成されたことを特徴とし、ハウジングの前面から電線の被覆が視認可能となり、被覆を剥く量が適切である場合の接続部に対する電線の接続状態と、電線の被覆が色分けされている場合の電線の極性とが確認できる。
【００１６】
【発明の実施の形態】
（参考例１）
本発明の実施形態を説明する前に、実施形態と基本的な構成が共通である参考例について図１〜図１１を参照して詳細に説明する。
【００１７】
ハウジング１は、両端部に複数（本参考例では各々３つずつの合計６つ）の接続部４が列設された扁平な略直方体形状であって、一面（前面）が開口する合成樹脂製のボディ２と、後面が開口する合成樹脂製のカバー３とを組み合わせ、図示しないかしめ鋲によりかしめ固定して形成される。接続部４の端面は凹設され、この凹部内に３つの電線挿入孔５が形成されている。
【００１８】
図２及び図４に示すようにボディ２の両端部（図４における左右の両端部）には電線挿入孔５を形成する凹溝５ａがボディ２の長手方向（図４における上下方向）に列設され、３つの凹溝５ａと連通する凹部４ａにより接続部４の端面の上記凹部が形成される。ここで凹溝５ａは、電線３１を挿入する側においては電線３１を容易に挿入できるように、電線３１の挿入側では径を大きく、奥に行くほど径が小さくなるように形成されている。また、ボディ２には両端部がそれぞれ電線挿入孔５の凹溝５ａと連通する複数（本参考例では９つ）の端子板収納溝６が略平行に並設されており、隣り合う端子板収納溝６の間を仕切る絶縁壁７が前方へ突設されている。
【００１９】
各端子板収納溝６には同一寸法・同一形状に形成された端子板８がそれぞれ収納される。端子板８は、図５及び図６に示すように帯板状の金属材を折曲加工することによって長手方向において対称な形状に形成されており、側方に開口する略コ字状であって、その内部に鎖錠ばね１３を係止片９ａに固定して取り付ける端子部９が両端に設けられるとともに、中央には端子板収納溝６の底面に突設された凸部６ａに嵌合して端子板８を固定する下方に開口した凹部１０ａを有する固定部１０が形成され、長手方向に沿って折曲された前片１１には後述する表示部材１６の表示部１６ｂがそれぞれ挿通する一対の挿通孔１１ａが穿孔されている。さらに、前片１１の中央部に半円形の係止溝１１ｂが形成されており、図４に示すように絶縁壁７の側面中央に突設されている係止突起１２に係止溝１１ｂが係止して端子板収納溝６内における端子板８の移動が規制される。ここで、端子部９を構成する前片１１の両端部には切り欠き９ｂが形成されており、この切り欠き９ｂを通して端子部９に取り付けられた鎖錠ばね１３の一部がボディ２の前方へ露出している。
【００２０】
鎖錠ばね１３は弾性を有する導電性金属の帯板の両端部をそれぞれ曲成することにより、中央片１３ｃの両端部に鎖錠片１３ａと接触片１３ｂとをそれぞれ形成したものである。鎖錠片１３ａはＪ字状に曲成され、中央片１３ｃとの連結部位から先端に向かって中央片１３ｃとの距離を広げるように傾斜する。また、接触片１３ｂはＳ字状に曲成され、中央片１３ｃの厚み方向に弾性を有している。鎖錠ばね１３の中央片１３ｃは平板状であり、前片１１とともに端子部９を形成する後片９ｃに当接し、鎖錠片１３ａおよび接触片１３ｂを端子板８の前片１１に対向させる。端子板８および鎖錠ばね１３と電線挿入孔５との位置関係は、電線挿入孔５から挿入される電線３１が鎖錠ばね１３の鎖錠片１３ａおよび接触片１３ｂと端子板８の前片１１との間に挿入されるように設定されている。したがって、電線挿入孔５に電線３１が挿入されると、図１１に示すように鎖錠片１３ａおよび接触片１３ｂと端子板８の前片１１との間で電線３１が圧接して挟持され、鎖錠片１３ａの先端が電線３１の導体３２に食い込んで抜止がなされるとともに、鎖錠片１３ａおよび接触片１３ｂによって電線３１と端子板８との電気的接続がなされる。
【００２１】
一方、端子板収納溝６の底面には、中央部に略楕円柱状のストッパ１５が突設され、このストッパ１５を挟んで対称な位置に鎖錠ばね１３に当接してその動きを規制する突起１４がそれぞれ突設されている。そして、この突起１４とストッパ１５の間に表示部材１６が配設される。表示部材１６は合成樹脂の成型品からなり、大略直方体状であって突起１４側の先端面を前方から後方にかけて外側に傾斜する傾斜面１６ｃとした押動部１６ａと、押動部１６ａのストッパ１５側の後端部前面より突設された円柱状の表示部１６ｂとを備える。また、押動部１６ａの両側面には、ボディ２の絶縁壁７に突設されたガイド部７ａと嵌合するガイド溝１６ｄが前後方向に凹設されている。さらに突起１４とストッパ１５の間における端子板収納溝６の底面には円柱状の台座１７が突設されており、この台座１７にコイルばねからなる付勢部材１８の一端部が固定される。
【００２２】
而して、図６及び図７に示すように台座１７に付勢部材１８の一端部を固定した後にガイド溝１６ｄをガイド部７ａに嵌合するように表示部材１６を上方から端子板収納溝６内に落とし込み、さらに前片１１に穿孔された挿通孔１１ａに表示部材１６の表示部１６ｂを挿通するようにして端子板８が端子板収納溝６内に収納される（図８参照）。このとき、表示部材１６は付勢部材１８によって前方（図８における上方）へ弾性付勢されることになるが、表示部材１６に対して付勢部材１８の付勢向きに対向配置される前片１１によって表示部材１６の前方への移動が規制されることになり、後の作業（例えば、ボディ２とカバー３を結合してハウジング１を組み立てる作業など）において表示部材１６が端子板収納溝６から飛び出したり、表示部材１６の位置がずれるようなことがなく、組立性の向上が図れる。すなわち、本参考例では端子板８の前片１１を規制部としている。
【００２３】
上述のようにして端子板収納溝６内に収納された表示部材１６は、接続部４の列設方向並びに電線挿入孔５の挿入方向の双方と直交する方向、すなわちハウジング１の前後方向（図８における上下方向）に移動自在であり、且つ付勢部材１８によって前方へ弾性付勢されて前片１１の後面に押動部１６ａの前面が当接した状態で保持される。また、表示部材１６のガイド溝１６ｄをガイド部７ａに嵌合させているので、前後方向の移動時における表示部材１６のがたつきが防止できる。さらに、押動部１６ａの後端部に当接するストッパ１５によって表示部材１６の電線挿入向き（図７における左向き）の表示部材１６の動きが規制されているために表示部材１６を安定して移動させることができる。ここで、ガイド部７ａ並びにストッパ１５の表示部材１６との接触面が曲面に形成してあるので、表示部材１６をスムーズに移動させることが可能である。
【００２４】
一方、図３（ｃ）に示すようにカバー３の両端部（図３（ａ）における左右の両端部）にもボディ２と同様に電線挿入孔５を形成する凹溝５ａがカバー３の長手方向（図３（ａ）における上下方向）に列設され、３つの凹溝５ａと連通する凹部４ａにより接続部４の端面の凹部が形成される。また、カバー３の前面中央には前方へ突出する突台部３ａが形成され、この突台部３ａの内底面には先端部が端子板８の前片１１や絶縁壁７に当接する複数のリブ３ｂが突設されている。すなわち、ボディ２とカバー３を結合してハウジング１を組み立てたときに各リブ３ｂが端子板８の前片１１に当接して端子板８のがたつきを抑えることができる。ここで、突台部３ａの前面には表示部１６ｂが進退自在に突出する複数の表示孔１９が列設され、接続部４に電線３１が接続されていない状態では、図３（ｃ）に示すように表示部１６ｂの先端部分が表示孔１９から突出することによって電線３１が非接続状態であることが表示される。
【００２５】
また、図３（ｂ）（ｃ）に示すように突台部３ａの両側面には、各接続部４毎に設けられる解除釦２０を操作するための３つの解除孔３ｃがそれぞれ等間隔に設けられている。解除孔３ｃは突台部３ａの内部空間と連通しており、この内部空間に解除釦２０が配設される。解除釦２０は合成樹脂成型品からなり、解除孔３ｃに臨む操作部２０ａと、１つの接続部４に対応する３つの端子板８の端子部９に設けられた切り欠き９ｂを通して鎖錠ばね１３の鎖錠片１３ａを押駆動する３つの駆動部２０ｂとが一体に形成されている。すなわち、マイナスドライバのような工具の先端を解除孔３ｃに挿入して解除釦２０の操作部２０ａを押操作すれば、駆動部２０ｂによって鎖錠片１３ａを後方へ撓ませて電線３１から引き離して電線３１の保持力を弱め、この状態で電線３１を引き抜くことができる。ここに、解除釦２０は３つの駆動部２０ｂを備えているから、各接続部４に対応する３つの鎖錠ばね１３の鎖錠片１３ａを同時に駆動することができる。
【００２６】
而して、図２に示すように各端子板収納溝６に端子板８，鎖錠ばね１３，表示部材１６が収納されたボディ２に、突台部３ａの内部空間に複数の解除釦２０が収納配置されたカバー３を被せてかしめ鋲にてかしめ固定すれば、ボディ２とカバー３を結合してハウジング１が組み立てられる。
【００２７】
次に表示部材１６の動作について説明する。本参考例では、１つの接続部４に３つの端子部９が設けられ、図３（ａ）に示すように各接続部４の前面にアースマーク並びにＷの文字が記され、アースマークにより接地極が明示されるとともにＷの文字で接地側極、無印で電圧側極がそれぞれ明示される。そして、各接続部４にはＶＶＦのように複数の電線３１がシース３４で覆われたケーブル３０が接続されるのであるが、本参考例で用いるケーブル３０は単線の導体３２を有する３本の電線３１を具備しており、ハウジング１の前面に形成されたゲージ１ａに合わせて被覆３３を剥がし、適切な長さの導体３２を露出させた電線３１が電線挿入孔５に挿入される。ここで、図９に示すように電線３１が端子板８の端子部９と接続されていない状態では付勢部材１８により弾性付勢された表示部材１６は押動部１６ａの前面が端子板８の前片１１に当接した状態で保持され、このときに表示部材１６の表示部１６ｂが前片１１の挿通孔１１ａ及びカバー３の表示孔１９を通してハウジング１の前面より突出して電線３１が非接続状態であることが表示される。
【００２８】
そして、被覆３３を剥がして導体３２を露出させた電線３１を電線挿入孔５に挿入すると、上述のように鎖錠ばね１３と端子板８の前片１１との間で電線３１の導体３２が圧接して挟持され、鎖錠片１３ａの先端が電線３１の導体３２に食い込んで抜止がなされるとともに、鎖錠片１３ａおよび接触片１３ｂによって電線３１と端子板８との電気的接続がなされる。ここで、図１０及び図１１に示すように電線３１の先端が鎖錠ばね１３よりもさらに奥に配置されている表示部材１６の押動部１６ａの傾斜面１６ｃに当接し、電線３１の挿入に伴って後方（図１０及び図１１における下方）への力が押動部１６ａにはたらくため、表示部材１６が付勢部材１８のばね力に抗して後方へ移動する。なお、このときの表示部材１６の移動量は電線３１の挿入量に応じて決まり、図１０及び図１１に示すように電線３１の先端が傾斜面１６ｃを乗り越えて押動部１６ａの前面に達したときに最大となる。そして、表示部材１６が後方へ移動すると、図１１に示すように表示部材１６の表示部１６ｂも後方へ移動し、上述の最大移動量において表示部１６ｂがハウジング１前面の表示孔１９から突出しなくなる。すなわち、表示部１６ｂが表示孔１９から突出する量で電線３１の接続状態を表示しており、端子部９に電線３１を確実に接続するには表示部１６ｂが表示孔１９の中に完全に隠れるまで電線３１を挿入する必要がある。
【００２９】
ここで、本参考例における表示部材１６は、図１に示すように押動部１６ａに対して電線挿入孔５への挿入方向における電線挿入孔５と反対側の位置に表示部１６ｂが設けられているから、表示部４３が突設されている基部４２が、電線３１に押動される押動部４１に対して電線３１の挿入方向と直交する方向に突出する形状に表示部材４０が形成されている従来例に比較して、表示部材１６の幅寸法（図１における寸法ｄ）が短くなる。その結果、端子板収納溝６の幅寸法や電線挿入孔５の間隔を狭めてハウジング１の小型化が図れるものである。
【００３０】
なお、本参考例ではハウジング１の両端部にそれぞれ３つずつ設けられた接続部４同士が端子板８によって一対一に接続されているが、例えば、電圧側極に対応する３つの端子板８、接地側極に対応する３つの端子板８、並びに接地極に対応する３つの端子板８をそれぞれハウジング１内に収納される導体板で接続することにより、分電盤からの電源ケーブルを接続する電源用の接続部４を１つと、電源ラインを内部で複数分岐して出力する送り配線用の５つの接続部４とを備える構造としても良い。
【００３１】
（実施形態１）
本実施形態の分解斜視図を図１２に示す。本実施形態は、カバー３の突台部３ａに少なくとも表示部１６ｂを前方へ露出する露出窓３ｄが設けられ、この露出窓３ｄを閉塞する小カバー２１に表示孔１９が設けられている点に特徴がある。なお、他の構成は参考例１と共通であるから、共通の構成要素には同一の符号を付して説明を省略する。
【００３２】
参考例１においてはボディ２とカバー３を結合する際に複数の表示孔１９の全てに同時に表示部１６ｂを挿通させる必要があり、表示孔１９の数が多いこととそれらの表示孔１９がカバー３の中央部に偏って設けられているために、ボディ２とカバー３の組立が困難になる虞がある。そこで本実施形態では、表示孔１９が設けられる部位を小カバー２１としてカバー３と別体に構成し、ボディ２とカバー３を結合した後にカバー３の露出窓３ｄを小カバー２１で閉塞するようにして組立性を向上している。
【００３３】
カバー３の突台部３ａに設けられる露出窓３ｄは矩形であって、ボディ２とカバー３を結合したときに全ての表示部１６ｂが露出窓３ｄを通してハウジング１の前方に露出するような大きさとしてある。そして、この露出窓３ｄの寸法・形状に合わせて小カバー２１が矩形平板状に形成されている。したがって、ボディ２とカバー３を結合する際には表示部１６ｂを露出窓３ｄに挿通するだけでよいから容易に被せることができる。また、小カバー２１をカバー３に取り付ける際には、小カバー２１の寸法がカバー３よりも充分に小さいため、複数の表示孔１９に表示部１６ｂを簡単に挿通することができて小カバー２１の取り付けも容易に行える。なお、カバー３に対する小カバー２１の固定は凹凸係止や接着等の適当な方法で行えばよい。
【００３４】
（実施形態２）
本実施形態は、図１３に示すように接続部４に接続された電線３１の導体３２を視認するための複数の窓２２がカバー３の突台部３ａの前面に設けられ、各窓２２と対向する端子板８の前片１１には前後に貫通する孔１１ｃが穿孔されている点に特徴があり、これ以外の構成は参考例１と共通であるから共通の構成要素には同一の符号を付して説明を省略する。
【００３５】
突台部３ａ前面の窓２２の周縁には凹所２２ａが設けられ、この凹所２２ａにアクリル樹脂のような透光性部材からなる窓カバー２２ｂが取り付けられて窓２２が閉塞されている。
【００３６】
本実施形態は上述のように構成したものであるから、窓２２から前片１１の孔１１ｃを通して電線３１の先端部が視認可能か否かによって接続部４に対する電線３１の接続状態が確認できる。
【００３７】
（実施形態３）
本実施形態は、ハウジング１の前面において電線挿入孔５に挿入された電線３１の被覆３３と対向する部位が透光性を有する材料で形成されている点に特徴があり、これ以外の構成は参考例１と共通であるから共通の構成要素には同一の符号を付して説明を省略する。
【００３８】
図１４に示すように、アクリル樹脂のような透光性材料からなる透光部２３が、ハウジング１の前面において電線挿入孔５に挿入された電線３１の被覆３３と対向する部位に二色成型によって形成されている。
【００３９】
而して、透光部２３を通してハウジング１の前面から電線３１の被覆３３が視認可能となる。すなわち、ケーブル３０の電線３１がそれぞれ色分けされている場合に個々の電線３１の極性を目視で確認することができ、例えば電圧側極の電線３１が接地側極の端子部９に接続されるといった誤接続が防止できるものである。また、ハウジング１の前面に形成されたゲージ１ａを用いて被覆３３を剥くことにより適切な長さの導体３２が露出されている場合には、透光部２３を通して視認できる被覆３３の状態によって接続部４に対する電線３１の接続状態を確認することができる。
【００４０】
なお、実施形態２と同様に接続部４に接続された電線３１の導体３２を視認するための複数の窓２２をカバー３の突台部３ａの前面に設けるようにすれば、電線３１の接続状態が一層確実に確認できる。また、本実施形態では透光部２３を二色成型によってカバー３と一体に形成しているが、透光部２３をカバー３と別体に形成してカバー３に組み付ける構造としても構わない。
【００４１】
（参考例２）
本参考例は、図１５に示すようにハウジング１を構成するカバー３がアクリル樹脂のような透光性材料で形成されている点に特徴があり、これ以外の構成は参考例１と共通であるから共通の構成要素には同一の符号を付して説明を省略する。
【００４２】
而して、カバー３が透光性材料で形成されているため、ハウジング１の前面から電線３１の被覆３３が視認可能となり、実施形態３と同様に接続部４に対する電線３１の接続状態と、電線３１の被覆３３が色分けされている場合の電線３１の極性とが双方とも確認できる。
【００４３】
【発明の効果】
請求項１の発明は、１乃至複数の電線挿入孔を有する複数の接続部が端部に列設されたハウジングと、該ハウジング内に収納されて前記接続部の列設方向と略直交する方向から前記電線挿入孔に挿入された電線が前記接続部により接続される複数の端子板と、該端子板との間で前記電線挿入孔に挿入される電線を弾性挟持する鎖錠ばねを具備した複数の前記接続部と、前記接続部の列設方向並びに前記電線挿入孔の挿入方向と略直交する方向に移動自在であって前記接続部に接続される電線の先端部に押動される押動部、該押動部の移動方向に突出する表示部を具備して前記ハウジング内に収納される複数の表示部材と、前記押動部が押動される向きと反対向きに前記表示部材を付勢する付勢部材と、前記ハウジング前面に開口し前記押動部の移動に応じて前記表示部が進退自在に突出する複数の表示孔とを備え、前記表示部材は、前記押動部に対して前記電線挿入孔への挿入方向における電線挿入孔と反対側の位置に前記表示部が設けられてなり、前記ハウジングは前面に開口する箱形のボディと、少なくとも前記表示部を前方へ露出する露出窓が前面に設けられてボディの開口面を覆うカバーと、前記露出窓を閉塞する小カバーとで構成され、該小カバーに複数の前記表示孔が設けられたので、電線の挿入方向及び表示部の移動方向に略直交する方向における表示部材の幅寸法が従来例に比較して短くなるから、電線挿入孔の間隔を狭めることができてハウジングの小型化が図れ、しかも、複数の表示孔がカバーに設けられる場合に比較してハウジングの組立性が向上するという効果がある。
【００４４】
請求項２の発明は、請求項１の発明において、前記表示部材に対して前記付勢部材による付勢向きに対向配置されて前記表示部材の付勢向きへの移動を規制する規制部が前記端子板に設けられたので、規制部により表示部材の移動を規制することで組立性が向上するという効果がある。
【００４５】
請求項３の発明は、請求項１の発明において、電線の挿入方向に対する前記表示部材の動きを規制するストッパを備えたので、表示部材を安定して移動させることができるという効果がある。
【００４６】
請求項４の発明は、請求項３の発明において、前記表示部材の移動をガイドするガイド部が設けられ、該ガイド部及び前記ストッパの前記表示部材との接触面が曲面に形成されたので、ガイド部によりガイドすることで移動時における表示部材のがたつきが防止でき、しかも、ガイド部及びストッパの表示部材との接触面が曲面に形成されているために、表示部材がスムーズに移動可能となるという効果がある。
【００４８】
請求項５の発明は、請求項１の発明において、前記電線挿入孔に挿入された電線の導体を視認するための窓が前記ハウジングの前面に設けられたので、窓を通して電線の導体が視認可能か否かによって接続部に対する電線の接続状態が確認できるという効果がある。
【００４９】
請求項６の発明は、請求項１の発明において、前記ハウジングの前面において前記電線挿入孔に挿入された電線の被覆と対向する部位が透光性を有する材料で形成されたので、ハウジングの前面から電線の被覆が視認可能となり、被覆を剥く量が適切である場合の接続部に対する電線の接続状態と、電線の被覆が色分けされている場合の電線の極性とが確認できるという効果がある。
【図面の簡単な説明】
【図１】  本発明の参考例１における表示部材の斜視図である。
【図２】  同上の分解斜視図である。
【図３】  同上を示し、（ａ）は正面図、（ｂ）は右側面図、（ｃ）は半断面図である。
【図４】  同上のカバーを取り外した状態の正面図である。
【図５】  同上における端子板及び鎖錠ばねの側面図である。
【図６】  同上における接続部の分解斜視図である。
【図７】  同上における接続部の分解斜視図である。
【図８】  同上における接続部の斜視図である。
【図９】  同上の動作説明図である。
【図１０】  同上の動作説明図である。
【図１１】  同上の電線を接続した状態の半断面図である。
【図１２】  実施形態１を示す分解斜視図である。
【図１３】  実施形態２の要部を示す断面図である。
【図１４】  実施形態３の要部を示す断面図である。
【図１５】  本発明の参考例２の要部を示す断面図である。
【図１６】  従来の表示部材を示す斜視図である。
【符号の説明】
１  ハウジング
４  接続部
５  電線挿入孔
８  端子板
１３  鎖錠ばね
１６  表示部材
１６ａ  押動部
１６ｂ  表示部
１６ｃ  傾斜面
１８  付勢部材
１９  表示孔
【図１】
0004085680.tif 000002
【図２】
0004085680.tif 000003
【図３】
0004085680.tif 000004
【図４】
0004085680.tif 000005
【図５】
0004085680.tif 000006
【図６】
0004085680.tif 000007
【図７】
0004085680.tif 000008
【図８】
0004085680.tif 000009
【図９】
0004085680.tif 000010
【図１０】
0004085680.tif 000011
【図１１】
0004085680.tif 000012
【図１２】
0004085680.tif 000013
【図１３】
0004085680.tif 000014
【図１４】
0004085680.tif 000015
【図１５】
0004085680.tif 000016
【図１６】
0004085680.tif 000017